(57)【要約】【課題】押さえローラー１８のローラー軸２２の保持ブラケット１７における磨耗を防止し、保持ブラケット１７からの脱落を防止しつつ、押さえローラー１８の脱着を容易としたプリンターにおける印字用紙の押さえローラー装置を提供すること。【解決手段】保持ブラケット１７の保持孔２１をバーリング形状（いわゆるバリ形状）にして、その支持面積を増加すること、および、バーリング形状にともなうアール部をローラー軸２２のガイド面として利用可能であることに着目したもので、検出部において印字用紙Ｌを適正な姿勢で移送路５方向に押さえ付け可能な押さえローラー１８を回転可能に保持する保持ブラケット１７の保持側枠部２０に、押さえローラー１８のローラー軸２２を回転可能に保持する保持孔２１を形成するとともに、保持孔２１は、保持側枠部２０の内方から外方に向かってバーリング形状にこれを形成したことを特徴とする。【選択図】図４
2008149476.tif 000002
【特許請求の範囲】
【請求項１】
帯状の印字用紙を移送するための移送路と、
この移送路におけるこの印字用紙の位置を検出する検出部と、
この印字用紙に所定情報を印字する印字部と、
前記検出部において前記印字用紙を適正な姿勢で前記移送路方向に押さえ付け可能な押さえローラーと、
この押さえローラーを回転可能に保持する一対の保持側枠部を有する保持ブラケットと、を有するプリンターにおける印字用紙の押さえローラー装置であって、
前記保持ブラケットの前記保持側枠部には、前記押さえローラーのローラー軸を回転可能に保持する保持孔を形成するとともに、
この保持孔は、前記保持側枠部の内方から外方に向かってバーリング形状にこれを形成したことを特徴とするプリンターにおける印字用紙の押さえローラー装置。
【請求項２】
前記一対の保持側枠部を外方に開放操作するためのつまみを前記保持側枠部の先端部側に形成したことを特徴とする請求項１記載のプリンターにおける印字用紙の押さえローラー装置。
【請求項３】
前記保持ブラケットの前記一対の保持側枠部を連結する連結中央部と前記保持側枠部との間に肉抜き部を形成したことを特徴とする請求項１記載のプリンターにおける印字用紙の押さえローラー装置。
【請求項４】
前記保持ブラケットの前記一対の保持側枠部を連結する連結中央部が前記検出部の位置検出センサーに対向するその内壁面を黒色としたことを特徴とする請求項１記載のプリンターにおける印字用紙の押さえローラー装置。
【発明の詳細な説明】
【技術分野】
【０００１】
本発明はプリンターにおける印字用紙の押さえローラー装置にかかるもので、とくに移送路上を移送されてゆく印字用紙を適正に押さえ付けるためのプリンターにおける印字用紙の押さえローラー装置に関するものである。
【背景技術】
【０００２】
従来のプリンターに装填されて移送し印字される印字用紙をその移送路に押さえて、移送およびその位置検出動作を安定化させるために押さえローラーが用いられているものがある。
たとえば特許文献１に開示されたプリンターにおける印字用紙の押さえローラー装置について、図５ないし図７にもとづき概説する。
図５は、プリンター（たとえばサーマルプリンター１）の概略断面図であって、サーマルプリンター１は、プリンターハウジング２と、カバー３と、印字用紙Ｌの用紙供給部４と、印字用紙Ｌの移送路５と、検出部６と、用紙押さえ部７（押さえローラー装置）と、印字部８と、を有する。
【０００３】
プリンターハウジング２には、その開閉軸９にカバー３を開閉可能に取り付け、プリンターハウジング２内部への印字用紙Ｌの装填を可能としている。なお、図５ではカバー３の開放状態を実線で示し、閉鎖状態を仮想線で示している。
【０００４】
カバー３には、ディスプレイ１０と、キー操作盤１１と、を設けて必要なデータないしコマンドを入力可能としてある。
【０００５】
用紙供給部４は、ラベルあるいはタグなどの印字用紙Ｌをロール状に保持するとともに、移送路５に向かって印字用紙Ｌを帯状に繰り出し可能とする。
【０００６】
移送路５は、帯状の印字用紙Ｌを移送するためのもので、基板１２や案内傾斜板１３などにより、印字用紙Ｌを用紙供給部４から検出部６および用紙押さえ部７を経て印字部８に向けてこの上を移送可能とする。
【０００７】
検出部６は、この移送路５における印字用紙Ｌの位置を検出するもので、たとえば光反射型の位置検出センサー１４を印字用紙Ｌの裏面側に設けている。
位置検出センサー１４は、移送路５（基板１２）に形成するとともに透明な樹脂板などを嵌め込んだ検出用貫通窓１５に臨んでおり、印字用紙Ｌの裏面側に検出用の光を出射し、印字用紙Ｌの裏面にあらかじめ印刷した位置検出用マーク（図示せず）からの反射光の光量により、印字用紙Ｌの位置を検出可能とする。
【０００８】
用紙押さえ部７は、カバー３上で印字用紙Ｌがその移送にともない上下方向にばたついて位置検出センサー１４の読取り精度が低下することを防止するために、検出部６において印字用紙Ｌを適正な姿勢で、すなわち、位置検出センサー１４との間の間隔を一定範囲内とするように、移送路３方向に押さえ付け可能とするもので、金属製であって所定の弾性付勢力を有する板バネ材１６と、保持ブラケット１７と、合成樹脂製であって印字用紙Ｌの表面に接触回転する一対の押さえローラー１８と、を有する。
【０００９】
板バネ材１６は、その一方の端部をカバー３の裏側に固定するとともに、その他方の端部を自由端として保持ブラケット１７を一体形成してある。
【００１０】
図６は、印字用紙Ｌの移送方向下流側から上流側を見た保持ブラケット１７および押さえローラー１８部分の拡大側面図で、保持ブラケット１７は、押さえローラー１８を回転可能に保持するものであって、板バネ材１６に一体形成した連結中央部１９と、連結中央部１９の左右に一体形成した一対の保持側枠部２０と、を有する。
保持側枠部２０には、移送方向に沿って左右二対の保持孔２１を形成し、この保持孔２１内に押さえローラー１８のローラー軸２２を回転可能に保持する。
【００１１】
印字部８は、カバー３側に固定したサーマルヘッド２３と、プリンターハウジング２側に固定したプラテンローラー２４と、を有する。
カバー３の開放により、サーマルヘッド２３およびプラテンローラー２４の間を開放して印字用紙Ｌのサーマルプリンター１内への装填を可能とし、カバー３のプリンターハウジング２への閉鎖により、サーマルヘッド２３とプラテンローラー２４とが所定圧力で接触し、プラテンローラー２４の駆動回転により印字用紙Ｌを移送路５上に移送するとともに、サーマルヘッド２３により印字用紙Ｌに所定情報を印字する。
【００１２】
こうした構成のサーマルプリンター１および用紙押さえ部７（押さえローラー装置）において、押さえローラー１８のローラー軸２２が保持孔２１内で磨耗して押さえローラー１８が保持ブラケット１７から脱落しやすいという問題がある。
【００１３】
図７は、保持孔２１およびローラー軸２２部分をさらに拡大した断面図であって、合成樹脂製のローラー軸２２は、金属製の保持ブラケット１７の保持孔２１内で自由回転可能であるが、用紙押さえ部７全体として板バネ材１６のバネ力により移送路５方向に所定押圧力で押し付けられるため、しかも保持孔２１における保持側枠部２０の板厚部分のみで支持されているため、ローラー軸２２が保持孔２１の上方内壁面に接触し続けて磨耗する結果、保持ブラケット１７から脱落しやすいという問題がある。
【００１４】
さらに、保持ブラケット１７が所定の剛性を有する金属部品であるため、磨耗した押さえローラー１８を保持ブラケット１７（保持側枠部２０）から取り外し、あるいは取り付けるために保持側枠部２０を左右に開放する操作が困難であるという問題がある。
【００１５】
また、位置検出センサー１４から印字用紙Ｌに照射された出射光あるいは反射光が近傍に位置する保持ブラケット１７において乱反射して位置検出センサー１４の読取り精度が低下するという問題がある。
【００１６】
【特許文献１】特開平１１−４２８２８号公報
【発明の開示】
【発明が解決しようとする課題】
【００１７】
本発明は以上のような諸問題にかんがみなされたもので、押さえローラーのローラー軸の保持ブラケットにおける磨耗を防止し、押さえローラーが保持ブラケットから脱落しにくくすることができるプリンターにおける印字用紙の押さえローラー装置を提供することを課題とする。
【００１８】
また本発明は、保持ブラケットへの押さえローラーの脱着を容易としたプリンターにおける印字用紙の押さえローラー装置を提供することを課題とする。
【００１９】
また本発明は、位置検出センサーの読取り精度を向上可能なプリンターにおける印字用紙の押さえローラー装置を提供することを課題とする。
【課題を解決するための手段】
【００２０】
すなわち本発明は、用紙押さえ部における保持ブラケットの保持孔をバーリング形状（いわゆるバリ形状）にして、その支持面積を増加すること、および、バーリング形状にともなうアール部をローラー軸のガイド面として利用可能であることに着目したもので、帯状の印字用紙を移送するための移送路と、この移送路におけるこの印字用紙の位置を検出する検出部と、この印字用紙に所定情報を印字する印字部と、上記検出部において上記印字用紙を適正な姿勢で上記移送路方向に押さえ付け可能な押さえローラーと、この押さえローラーを回転可能に保持する一対の保持側枠部を有する保持ブラケットと、を有するプリンターにおける印字用紙の押さえローラー装置であって、上記保持ブラケットの上記保持側枠部には、上記押さえローラーのローラー軸を回転可能に保持する保持孔を形成するとともに、この保持孔は、上記保持側枠部の内方から外方に向かってバーリング形状にこれを形成したことを特徴とするプリンターにおける印字用紙の押さえローラー装置である。
【００２１】
上記一対の保持側枠部を外方に開放操作するためのつまみを上記保持側枠部の先端部側に形成することができる。
【００２２】
上記保持ブラケットの上記一対の保持側枠部を連結する連結中央部と上記保持側枠部との間に肉抜き部を形成することができる。
【００２３】
上記保持ブラケットの上記一対の保持側枠部を連結する連結中央部が上記検出部の位置検出センサーに対向するその内壁面を黒色とすることができる。
【発明の効果】
【００２４】
本発明によるプリンターにおける印字用紙の押さえローラー装置においては、保持ブラケット（保持側枠部）の保持孔を内方から外方に向かうバーリング形状としたので、保持孔に押さえローラーのローラー軸を差し込んだ際に、バーリングの内側の面全体でローラー軸を支持することができ、保持ブラケットおよび押さえローラーの移送路（位置検出センサー）方向への押さえ付け作用によっても、ローラー軸が磨耗しにくく、その脱落を防止可能である。
しかも、保持側枠部の内壁面側には、このバーリング形状にともなうアール部分があるので、押さえローラーの一方のローラー軸を一方の保持孔に差し込んだ上で他方の保持孔に他方のローラー軸を傾斜状態で差し込む際の余裕空間を確保するとともに、このアール部分がガイド面ともなり、保持孔へのローラー軸の脱着操作が容易である。
【発明を実施するための最良の形態】
【００２５】
本発明は、保持ブラケットにおける保持孔のバーリング形状により、押さえローラーの磨耗防止および脱着操作の容易化を可能としたプリンターにおける印字用紙の押さえローラー装置を実現した。
【実施例】
【００２６】
つぎに本発明の実施例によるプリンターにおける印字用紙の押さえローラー装置３０を図１ないし図４にもとづき説明する。ただし、図５ないし図７と同様の部分には同一符号を付し、その詳述はこれを省略する。
図１は、プリンターにおける印字用紙の押さえローラー装置３０の印字用紙Ｌの移送方向下流側から上流側を見た側面図、図２は、印字用紙Ｌの移送方向に直交する方向から見た側面図であって、押さえローラー装置３０は、既述の用紙押さえ部７（押さえローラー装置、図１参照）と同様に、前記板バネ材１６、保持ブラケット１７および一対の押さえローラー１８を有する。
【００２７】
図３は、保持ブラケット１７部分の斜視図であって、保持ブラケット１７において、左右一対の保持側枠部２０の先端部側につまみ３１を突出形成し、保持ブラケット１７の一対の保持側枠部２０を外方に開放可能としている。
ただし、このつまみ３１は、これを指で引っ掛けることができる程度に、かつおさえローラー１８の両側において、押さえローラー１８よりわずかに移送路５側に突出しているもので、押さえローラー１８による印字用紙Ｌの押さえ付け作用に影響を及ぼすものではない。
【００２８】
さらに、保持ブラケット１７の一対の保持側枠部２０を連結する連結中央部１９と保持側枠部２０との間にかけて左右一対の肉抜き部３２を形成することにより、この保持側枠部２０の剛性を低下させてある。
【００２９】
また、連結中央部１９が検出部６の位置検出センサー１４に対向するその内壁面３３に光反射率の低い黒色の合成樹脂板３４を取り付けている。もちろん、内壁面３３を直接黒色に着色することもできるし、位置検出センサー１４において使用する光の波長に応じて反射率の低い色に着色することができる。
【００３０】
図４は、保持孔２１およびローラー軸２２部分をさらに拡大した断面図であって、保持孔２１を内方から外方に向かってバーリング形状に形成している。
したがって、保持孔２１自体は、保持側枠部２０の外壁面から外方にわずかに突出したバーリング部３５と、バーリング部３５につながる均一径の孔本体部３６と、孔本体部３６から保持側枠部２０の内壁面に至るアール部３７と、によって形成されることになる。
【００３１】
なお、図１に示すように、保持ブラケット１７の連結中央部１９から押さえローラー１８の前方に向かって、印字用紙Ｌの幅方向に所定長さの刷毛部３８を突出させ、移送路５における前記案内傾斜面１３（図５）上を移送される印字用紙Ｌを上方から案内するとともに、その表面のチリなどを排除し、印字部８における印字動作に支障がないようにしている。
【００３２】
こうした構成のプリンターにおける印字用紙の押さえローラー装置３０において、とくに図４に示すように、ローラー軸２２は、保持孔２１において、バーリング部３５および孔本体部３６、さらに押さえローラー１８の姿勢によってはアール部３７に回転可能に支持されることになり、従来の前記用紙押さえ部７（押さえローラー装置、図７参照）のように、保持側枠部２０板厚のみの場合に比較して、より広い面積で支持されるため、その磨耗の程度は大幅に減少される。
【００３３】
さらに、押さえローラー１８を保持ブラケット１７において交換する際にも、左右一対のつまみ３１の部分に指を引っ掛けてその開放方向に押し広げることができるとともに、連結中央部１９および保持側枠部２０にかけて肉抜き部３２を形成してあって保持側枠部２０全体のバネ力を低下させてあり、かつ、アール部がガイド面となって、押さえローラー１８の交換操作も容易である。
【００３４】
また、連結中央部１９の内壁面３３に黒色の合成樹脂板３４を設けてあるので、内壁面３３における反射率が低下し、位置検出センサー１４からの出射光が乱反射しにくく、位置検出センサー１４の読取り精度を向上可能である。
【図面の簡単な説明】
【００３５】
【図１】本発明の実施例によるプリンターにおける印字用紙の押さえローラー装置３０の印字用紙Ｌの移送方向下流側から上流側を見た側面図である。
【図２】同、印字用紙Ｌの移送方向に直交する方向から見た側面図である。
【図３】同、保持ブラケット１７部分の斜視図である。
【図４】同、保持孔２１およびローラー軸２２部分をさらに拡大した断面図である。
【図５】従来のサーマルプリンター１の概略断面図である。
【図６】同、印字用紙Ｌの移送方向下流側から上流側を見た保持ブラケット１７および押さえローラー１８部分の拡大側面図である。
【図７】同、保持孔２１およびローラー軸２２部分をさらに拡大した断面図である。
【符号の説明】
【００３６】
１  サーマルプリンター（従来、図５）
２  プリンターハウジング
３  カバー
４  用紙供給部
５  移送路
６  検出部
７  用紙押さえ部（従来の押さえローラー装置、図６、図７）
８  印字部
９  開閉軸
１０  ディスプレイ
１１  キー操作盤
１２  基板
１３  案内傾斜板
１４  位置検出センサー（光反射型）
１５  検出用貫通窓
１６  板バネ材
１７  保持ブラケット
１８  押さえローラー
１９  連結中央部
２０  保持側枠部
２１  保持孔
２２  ローラー軸
２３  サーマルヘッド
２４  プラテンローラー
３０  プリンターにおける印字用紙の押さえローラー装置（実施例、図１〜図４）
３１  保持側枠部２０の先端部側に形成したつまみ
３２  連結中央部１９と保持側枠部２０との間にかけて形成した肉抜き部
３３  連結中央部１９の内壁面
３４  黒色の合成樹脂板
３５  保持孔２１のバーリング部
３６  保持孔２１の孔本体部
３７  保持孔２１のアール部
３８  刷毛部
Ｌ    印字用紙（ラベルやタグなど）
【図１】
2008149476.tif 000003
【図２】
2008149476.tif 000004
【図３】
2008149476.tif 000005
【図４】
2008149476.tif 000006
【図５】
2008149476.tif 000007
【図６】
2008149476.tif 000008
【図７】
2008149476.tif 000009